(57)【要約】      （修正有）【課題】人体の各部をサポートする多機能サポートクッションを提供する。【解決手段】多機能サポートクッション１は、複数のパッド部２１、２２、２３を含み、各パッド部の上端が円弧状であり、かつ中央に位置するパッド部は両側のパッド部より高く、パッド部の上端が中央から両側に向かって徐々に低くなる波型の形態を呈し、かつ複数のパッド部は選択的に、長尺状のクッションを形成するか、或いは両側のパッド部の自由端を互いに当てて円形リング状のクッションを形成する。多機能サポートクッション１は人体の背部、腰部、頚部をサポートするかまたは各部に当てるためのものであり、頚部用のクッションとするときは、頭部をサポートする機能が得られ、頚部上に嵌めて頚椎を保護し、かつ頚の後部をサポートしながら頭部の傾きを防止でき、腰部と背部用のクッションとするときは、椅子の上に置いて人の腰部と背部とをサポートして、高い快適さを提供する。【選択図】図３
0003197355.tif 000002
【実用新案登録請求の範囲】
【請求項１】
多機能サポートクッションであって、複数のパッド部を含み、各パッド部の上端が円弧状であり、かつ中央に位置するパッド部が両側のパッド部より高く、前記各パッド部の上端が中央から両側に向かって徐々に低くなる波型の形態を呈し、かつ前記複数のパッド部は選択的に、長尺状のクッションを形成するか、或いは前記両側のパッド部の自由端を互いに当てて円形リング状のクッションを形成することを特徴とする多機能サポートクッション。
【請求項２】
前記クッションの前記複数のパッド部が外カバー、内カバーおよび少なくとも１つのフォームを含み、前記フォームが前記内カバー内に収容され、かつ前記フォームと前記内カバーとが前記外カバー内に収容されることを特徴とする請求項１に記載の多機能サポートクッション。
【請求項３】
前記外カバーが第１開口を備え、前記第１開口に少なくとも１つの第１結合部材が設置され、前記内カバーが第２開口を備え、前記第２開口に少なくとも１つの第２結合部材が設置されたことを特徴とする請求項２に記載の多機能サポートクッション。
【請求項４】
前記外カバーが紐と留め具とを含み、前記外カバーの内側表面に複数の紐通し孔が設けられ、前記紐が前記外カバー、前記紐通し孔および前記留め具に挿通されて、前記紐を締め、前記留め具で前記紐を留めることにより、前記クッションが締め付けられることを特徴とする請求項２に記載の多機能サポートクッション。
【請求項５】
前記紐を前記外カバーの異なる高さの前記紐通し孔に挿通することにより、前記紐の高さ位置が調整されることを特徴とする請求項４に記載の多機能サポートクッション。
【請求項６】
前記フォームが形状記憶フォームであることを特徴とする請求項２に記載の多機能サポートクッション。
【請求項７】
前記フォームが高反発フォームであることを特徴とする請求項２に記載の多機能サポートクッション。
【請求項８】
前記複数のパッド部が第１パッド部、第２パッド部および第３パッド部を含み、前記第１パッド部と前記第２パッド部との間に、耳を収容するための凹陥部が設けられたことを特徴とする請求項１に記載の多機能サポートクッション。
【請求項９】
前記外カバーの第１結合部材がスナップボタンであり、前記内カバーの第２結合部材がスナップボタンであることを特徴とする請求項３に記載の多機能サポートクッション。
【請求項１０】
前記外カバーの第１結合部材が面ファスナーであり、前記内カバーの第２結合部材が面ファスナーであることを特徴とする請求項３に記載の多機能サポートクッション。
【考案の詳細な説明】
【技術分野】
【０００１】
本考案は多機能サポートクッションに関し、特に、特殊な設計を有するパッド部により人体の背部や腰部、頚部をサポートするか、または各部に当てるための多機能サポートクッションに関する。
【背景技術】
【０００２】
枕は多くの人々にとって生活必需品であるが、時代の変化と、人々の生活睡眠品質の向上に対するこだわりに伴い、より多くの人々がアイデアを発揮して多様なニーズを満たす製品が生まれている。現今では家の中での睡眠品質にこだわるだけでなく、一般のオフィスやＳＯＨＯ（小規模オフィス）等の仕事の場所、或いは学校の教室、バス、電車等の公共の場所でも短時間の休息と睡眠の品質にこだわる人が増え、人々のこれらニーズに応じて、関連の配慮を尽くした製品が生まれている。頚部用のクッションはオフィス、工房、バス、電車で座っているか、または立っている人々が仕事時や休息時に快適に使用することができ、また家の中や車上等の環境で使用することが多いため、さらなる改良が期待されている。
【０００３】
現代化された生活環境の中で、仕事、レジャーのいずれにおいても、多くの人が往々にして自動車や飛行機などの交通手段を利用する必要がある。特に、遠距離の旅では多くの時間を移動に費やす必要がある。このような長い移動時間に、中には本を読んだり、新聞を読んだり、携帯電話や携帯型ゲーム機等の電子製品で遊んだりする人もいれば、この時間を利用して仕事前の準備をする人もいるが、多くの人が到着後のさまざまなことに対応できるように休息を取ることを選択する。
【０００４】
乗り心地を高めるために、好ましい交通手段には旅客が快適に横になることができる立派な座席が用意されている。但し、交通手段の座席はカスタマイズされているわけではなく、大量生産されており、また空間を節約するために、各座席間の距離が往々にして狭く、快適さの要求を満たすことができない。このため、個人の快適さを高めるための周辺製品が提供されており、多種多様な製品が続々と出現している。よく見受けられるものには背もたれクッションや抱き枕、枕、頚部の回りを囲む首枕などがある。しかしながら、これらの製品は粗末過ぎて保護効果が全くないものが多く、やはり欠点が存在するため、改善が期待されている。
【考案の概要】
【考案が解決しようとする課題】
【０００５】
上述に鑑み、多機能サポートクッションの開発が必要とされている。本考案の目的は、頚部の保護と頭部の傾き防止を結合した設計で、使用者を休息または睡眠時により安全に安定させ、頭部、頚部の偶発的な傷害を減少すると共に、使用者の腰部または背部もサポートして快適に使用できるほか、未使用時には折り畳んで体積を減少でき、旅行時に携帯しやすい、多機能サポートクッションを提供することにある。
【課題を解決するための手段】
【０００６】
本考案の多機能サポートクッションは、複数のパッド部を含み、各パッド部の上端が円弧状であり、かつ中央に位置するパッド部は両側のパッド部より高く、前記パッド部の上端が中央から両側に向かって徐々に低くなる波型の形態を呈し、かつ前記複数のパッド部は選択的に、長尺状のクッションを形成するか、或いは前記両側のパッド部の自由端を互いに当てて円形リング状のクッションを形成することができる。
【０００７】
好ましくは、前記クッションの前記複数のパッド部が外カバー、内カバーおよび少なくとも１つのフォーム（発泡体）を含み、前記フォームが前記内カバー内に収容され、かつ前記フォームと前記内カバーが前記外カバー内に収容される。
【０００８】
好ましくは、前記外カバーが第１開口を備え、前記第１開口に少なくとも１つの第１結合部材が設置される。前記内カバーが第２開口を備え、前記第２開口に少なくとも１つの第２結合部材が設置される。
【０００９】
好ましくは、前記外カバーが紐と留め具とを含み、前記外カバーの内側表面に複数の紐通し孔が設けられ、前記紐が前記外カバー、前記紐通し孔および前記留め具に挿通されて、前記紐を締め、前記留め具を利用して前記紐を留めることで、前記クッションを締め付けることができる。
【００１０】
好ましくは、前記紐を前記外カバーの異なる高さの前記紐通し孔に挿通することにより、前記紐の高さ位置を調整する。
好ましくは、前記フォームが形状記憶フォームである。
【００１１】
好ましくは、前記フォームが高反発フォームである。
好ましくは、前記複数のパッド部が第１パッド部、第２パッド部および第３パッド部を含み、前記第１パッド部と前記第２パッド部の間に、耳を収容するための凹陥部が設けられて、使用者の使用時における快適性が向上される。
【００１２】
好ましくは、前記外カバーの第１結合部材がスナップボタンであり、前記内カバーの第２結合部材がスナップボタンである。
好ましくは、前記外カバーの第１結合部材が面ファスナーであり、前記内カバーの第２結合部材が面ファスナーである。
【図面の簡単な説明】
【００１３】
【図１】本考案の多機能サポートクッションの分解図である。
【図２】本考案の多機能サポートクッションの組立図である。
【図３】本考案の多機能サポートクッションの使用状態の斜視図である。
【図４】本考案の多機能サポートクッションの別の実施例の分解図である。
【図５】外カバーの内側面の模式図である。
【図６】内カバーの部分斜視図である。
【図７】本考案の多機能サポートクッションを人体に使用した状態の模式図である。
【図８】本考案の多機能サポートクッションを椅子に置いた状態の模式図である。
【図９】本考案の多機能サポートクッションの折り畳んだ状態の斜視図である。
【図１０】本考案の多機能サポートクッションの別の折り畳んだ状態の斜視図である。
【考案を実施するための形態】
【００１４】
本考案について本考案の最良の実施形態を、図面に基づいて充分に説明するが、ここで説明する前に、当業者が本文中で説明する考案に変更を加えて同様に本考案の効果を達することもできることを理解すべきである。このため、以下の説明は当業者にとって広範な開示であり、その内容は本考案を限定しないことを理解する必要がある。
【００１５】
（第１実施形態）
図１及び図２に本考案の多機能サポートクッションの分解図及び組立図をそれぞれ示す。本考案の多機能サポートクッション１は、複数のパッド部２を含み、前記複数のパッド部２は第１パッド部２１、第２パッド部２２および第３パッド部２３を含み、前記第１パッド部２１、第２パッド部２２および第３パッド部２３の上端は円弧状であり、前記第１パッド部２１と前記第２パッド部２２との間に凹陥部２４が設けられている。前記多機能サポートクッション１のパッド部２は外カバー３、内カバー４および少なくとも１つのフォーム５を含み、前記フォーム５は前記内カバー４内に収容され、前記フォーム５と前記内カバー４とがさらに前記外カバー３内に収容される。
【００１６】
続いて図１に示すように、ここで注意すべきは、前記第１パッド部２１中に収容されるフォーム５１は形状記憶フォームまたは低反発フォームであり、前記多機能サポートクッション１の使用時、前記フォーム５１が車両や飛行機に乗ったときに発生する振動感を緩和し、快適性を高めることができる点である。前記第２パッド部２２及び前記第３パッド部２３に収容されるフォーム５２、５３は高反発フォームであり、使用時のサポート強度を高め、使用寿命を延長するために用いられる。当然、前記フォーム５２、５３も形状記憶フォームまたは低反発フォームとしてもよい。
【００１７】
図１には左半部の１個のフォーム５１、１個のフォーム５２、１個のフォーム５３のみ表示しているが、右半部の１個のフォーム５１、１個のフォーム５２、１個のフォーム５３はすでに前記内カバー４内部に収容されている。ここで注意すべきは、本考案の多機能サポートクッション１の中央に位置する前記第１パッド部２１は両側の第２パッド部２２及び第３パッド部２３より高く、前記第２パッド部２２は前記第３パッド部２３より高い点である。
【００１８】
前記第１パッド部２１、第２パッド部２２および第３パッド部２３の上端は中央から両側に向かって徐々に低くなる波型の形態を呈し、かつ前記第１パッド部２１、第２パッド部２２および第３パッド部２３は選択的に、図２に示すように長尺状のクッションを形成するか、或いは図３の本考案の多機能サポートクッションの使用状態の斜視図に示すように、前記両側の第３パッド部２３の自由端を互いに当てて円形リング状のクッションを形成することができる。
【００１９】
（第２実施形態）
図４に本考案の多機能サポートクッションの第２実施形態の分解図を示す。図４に示す第２実施形態と図１に示す第１実施形態との違いは、フォームの形状が異なる点であり、フォームの材質は同じである。具体的には、フォーム５４とフォーム５１とは形状が異なるが、使用する材質は同じである。前記第１パッド部２１中に収容されるフォーム５４が形状記憶フォームまたは低反発フォームであり、フォーム５５とフォーム５２、５３とは形状が異なるが、使用する材質は同じである。前記第２パッド部２２及び前記第３パッド部２３に収容されるフォーム５５は高反発フォームであり、当然、形状記憶フォームまたは低反発フォームとしてもよい。
【００２０】
図５及び図６に外カバーの内側面の模式図及び内カバーの部分斜視図をそれぞれ示す。前記外カバー３は下端に第１開口３１を備え、かつ前記第１開口３１に複数の第１結合部材３２が設けられている。好ましくは、前記外カバー３の第１結合部材３２はスナップボタンとする。その他の実施態様において、前記外カバー３の第１結合部材３２は面ファスナーまたはその他の結合部材としてもよい。
【００２１】
前記内カバー４は下端に第２開口４１を備え、かつ前記第２開口４１に複数の第２結合部材４２が設けられている。好ましくは、前記内カバー４の第２結合部材４２はスナップボタンとする。その他の実施態様において、前記内カバー４の第２結合部材４２は面ファスナーまたはその他の結合部材としてもよい。前記第１結合部材４１及び前記第２結合部材４２の作用は、前記フォーム５１、５２、５３またはフォーム５４、５５を前記内カバー４内に収容したとき、前記フォーム５１、５２、５３またはフォーム５４、５５の位置を規制し、前記第２開口４１から外部に露出しないようにすることである。
【００２２】
続いて図５と合わせて図２を参照する。前記外カバー３は紐３３と留め具３４とを含み、前記外カバー３３には内側表面に複数の紐通し孔３５が設けられ、前記紐３３が前記外カバー３、前記紐通し孔３５および前記留め具３４に挿通されて、前記紐３３を締め、前記留め具３４で前記紐３３を留めることで、前記クッション１を締め付けることができる。好ましくは、前記紐通し孔３５を異なる高さで設ける。異なるサポート効果を得られるように、前記紐３３を異なる高さの前記紐通し孔３５に挿通することで、前記紐の高さ位置を調整する。使用者が自分の好みに応じて調整することができる。例えば図５に示すように、前記紐３３は比較的低い前記紐通し孔３５に挿通されている。
【００２３】
再び図２及び図３を参照すると、本考案の多機能サポートクッション１が図２に示す状態にあるとき、使用者はまず指で前記留め具３４を押さえ、さらに指で前記留め具３４から離れる方向に前記紐３３を引き出すと、前記第１パッド部２１、第２パッド部２２および第３パッド部２３が図３に示すような円形リングの形状を形成する。
【００２４】
図７に、本考案の多機能サポートクッションを人体に使用した状態の模式図を示す。前記多機能サポートクッション１を人体の頚部に使用するとき、前記第１パッド部２１が人の頚の後部に当り、前記第２パッド部２２が人の頚部側面に位置し、前記第３パッド部２３が人の頚部前方、すなわち顎の下方に位置し、人の耳が前記第１パッド部２１と前記第２パッド部２２との間の凹陥部２４に位置する。前記第１パッド部２１内のフォーム５１によるサポート作用の関係で、使用者は非常に快適に感じることができ、かつ前記多機能サポートクッション１は頭部もサポートして頭部が左右に揺動し、頚部にダメージを与えないようにすることができるため、保護作用を備えている。使用者により一層の快適さを提供するために、特に前記第１パッド部２１と前記第２パッド部２２の間に耳を収容するための前記凹陥部２４が設けられており、気配りのある設計となっている。
【００２５】
図８に、本考案の多機能サポートクッションを椅子に置いた状態の模式図を示す。本考案の多機能サポートクッション１は椅子６の上に置くことができ、使用者が前記椅子に座ったとき、前記多機能サポートクッション１の位置を調整し、そのクッション1を使用者の腰部や背部に当てることができる。これにより、前記第１パッド部２１、前記第２パッド部２２および前記第３パッド部２３の内部に充填された前記フォーム５１、５２、５３またはフォーム５４、５５の特殊な効果により、使用者の腰部や背部がサポートされ、使用者に快適さを感じさせることができる。
【００２６】
図９及び図１０に、本考案の多機能サポートクッションの異なる折り畳み状態の斜視図をそれぞれ示す。使用者が前記多機能サポートクッション１を収納したいときは、前記フォーム５１、５２、５３またはフォーム５４、５５が弾性を備えているため、前記第１パッド部２１、前記第２パッド部２２および前記第３パッド部２３を折り畳んでコンパクトに押さえ、体積を減少することができ、使用者の収納に便利である。
【００２７】
本考案の最良の実施例を詳細に説明したが、当業者であれば明確に分かるように、実用新案請求の範囲と本考案の要旨を逸脱せずに各種の変化や変更が可能であり、本考案は明細書に挙げた実施形態の実施方式に限定されない。
【符号の説明】
【００２８】
１…多機能サポートクッション、２…パッド部、３…外カバー、４…内カバー、５…フォーム、６…椅子、２１…第１パッド部、２２…第２パッド部、２３…第３パッド部、２４…凹陥部、３１…第１開口、３２…第１結合部材、３３…紐、３４…留め具、３５…紐通し孔、４１…第２開口、４２…第２結合部材、５１、５２、５３、５４、５５…フォーム
【図１】
0003197355.tif 000003
【図２】
0003197355.tif 000004
【図３】
0003197355.tif 000005
【図４】
0003197355.tif 000006
【図５】
0003197355.tif 000007
【図６】
0003197355.tif 000008
【図７】
0003197355.tif 000009
【図８】
0003197355.tif 000010
【図９】
0003197355.tif 000011
【図１０】
0003197355.tif 000012